(57)【要約】【課題】光沢加工及び用紙の折り畳みを行う場合に、折り目によって無駄になる部分に光沢加工を行うことなく、折り目部分を含めた全体の見栄えが良好な画像を形成可能な画像形成装置を提供する。【解決手段】画像形成装置は、記録媒体の表面に光沢を付加する光沢付加手段４と、記録媒体を折り畳む折り畳み手段５と、を有し、光沢付加手段４は、折り畳み手段５によって形成される記録媒体上の折り目の近傍を避けて光沢を付加する。【選択図】  図１
2015108660.tif 000002
【特許請求の範囲】
【請求項１】
記録媒体の表面に光沢を付加する光沢付加手段と、
記録媒体を折り畳む折り畳み手段と、
を有する画像形成装置であって、
前記光沢付加手段は、
前記折り畳み手段によって形成される記録媒体上の折り目の近傍を避けて光沢を付加することを特徴とする画像形成装置。
【請求項２】
前記光沢付加手段は、
記録媒体上に透明なトナーを付加することによって光沢を付加することを特徴とする請求項１記載の画像形成装置。
【請求項３】
記録媒体上の光沢を付加する位置を設定する光沢条件設定手段をさらに有することを特徴とする請求項１または２記載の画像形成装置。
【請求項４】
記録媒体の大きさ及び折り畳む方法を設定する折り畳み方法設定手段と、
前記折り畳み方法設定手段によって設定された条件から記録媒体上の折り目が発生する位置を計算する折り目計算手段と、
をさらに有し、
前記光沢付加手段は、
前記折り目計算手段によって算出された折り目が発生する位置を参照して、折り目の近傍とみなす範囲を決定することを特徴とする請求項１から３のいずれか１項に記載の画像形成装置。
【請求項５】
前記光沢付加手段が折り目の近傍とみなす折り目からの距離を設定する折り目近傍距離設定手段をさらに有することを特徴とする請求項１から４のいずれか１項に記載の画像形成装置。
【請求項６】
前記光沢付加手段は、
折り目が山折りであるか谷折りであるかによって、折り目の近傍とみなす範囲が異なることを特徴とする請求項１から５のいずれか１項に記載の画像形成装置。
【請求項７】
前記光沢付加手段は、
折り目が交差して交点を形成する場合、折り目の近傍とは別に、前記交点の近傍も避けて光沢を付加することを特徴とする請求項１から６のいずれか１項に記載の画像形成装置。
【請求項８】
前記光沢付加手段は、
折り畳まれることによって記録媒体の重なりが発生する場合、記録媒体の重なり方に応じて折り目の近傍とみなす範囲が異なることを特徴とする請求項１から７のいずれか１項に記載の画像形成装置。
【請求項９】
前記光沢付加手段が折り目の近傍とみなし光沢加工を避ける部分がある場合、光沢加工の結果が設定と異なる旨を通知する通知手段をさらに有することを特徴とする請求項１から８のいずれか１項に記載の画像形成装置。
【発明の詳細な説明】
【技術分野】
【０００１】
本発明は画像形成装置に関し、特に、画像の光沢加工及び用紙を折り畳んだ状態での印刷が可能な画像形成装置に関する。
【背景技術】
【０００２】
従来、光沢を持った画像を出力することが可能な画像形成装置が知られている。もともと、市場での電子写真の高画質化の要求の高まりにより、狙った光沢を持つ画像を出力することが求められるケースが増加していた。そのため、画像表面形状を操作することで、画像の光沢も変化させることができ、無色の透明トナーなどを画像表面に付加することにより、光沢の度合いを変えることができる画像形成装置が使用されるようになった。
【０００３】
透明トナーを付加する方法により、光沢を高めることだけでなく、逆に低くすることも可能となる。画像上の任意の場所ごとに目的とする光沢感を持つ画像を出力するため、文字や写真、図形といった場所ごとの画像の種別による自動判定やユーザの指定によって、透明トナーを画像上の任意の位置に付加することも可能である。これによって、部分的に光沢を変えて出力することが可能となっている。
【０００４】
また、折り機能を持っているフィニッシャー等により、出力する用紙を折り畳む技術が従来から知られている。例えば、簡単な作業で各種サイズに折ることが可能で、更にファイルや整理が可能な用紙に画像を形成する画像形成装置が知られている。
【０００５】
しかし、光沢を持った画像を出力する機能と、用紙を折り畳む機能の両方を備えた画像形成装置においては、以下に述べるような問題が発生する。
【０００６】
従来の光沢を持った画像を出力する機能と、用紙を折り畳む機能の両方を備えた画像形成装置では、画像形成後に用紙が折り畳まれる際の折り目に相当する部分にも透明トナーが使用されている。しかし、用紙を折り畳むと、折り目近傍には用紙の皺やトナーの細かいひび割れが発生するため、折り目近傍は透明トナーを使用していても狙い通りの光沢は得られない。そのため、折り目近傍に用いられた透明トナーによる光沢効果が得られず、透明トナーが無駄になってしまう。
【０００７】
特許文献１及び特許文献２では、折り目近傍のトナー割れや剥離を防ぐ目的で、折り目近傍の画像の濃度を下げて画像を出力する画像形成装置が開示されている。
【０００８】
特許文献３では、折り目付近の有色トナーが使用されている部分にのみ透明トナーを使用することで、トナーの剥がれによる画像品質の低下を防止することが可能な画像形成装置が開示されている。
【０００９】
特許文献４の画像形成装置では、画像内の領域や描画オブジェクトの種類を指定して光沢加工を行う度合いを指定することによって、ユーザが所望する光沢を持つ画像を形成することができる。
【発明の概要】
【発明が解決しようとする課題】
【００１０】
特許文献１及び特許文献２の画像形成装置は、用紙の皺及びトナーのひび割れを抑えてはいるが、画像の濃度を変えてしまうと、折り目近傍だけ色が変化することになり、画像全体の見栄えが悪くなるという問題がある。
【００１１】
特許文献３の画像形成装置は、トナーの剥がれによる画像品質の低下は防止しているものの、用紙の皺及びトナーのひび割れによる画像品質の低下、またそのことに起因して透明トナーが無駄になることについては何ら考慮されていない。
【００１２】
特許文献４の画像形成装置は、光沢加工の条件を設定することで、見栄えの良い画像を出力することができるものの、折り目が画像に与える影響については何ら考慮されていない。
【００１３】
本発明の目的は、光沢加工及び用紙の折り畳みを行う場合に、折り目によって無駄になる部分に光沢加工を行うことなく、折り目部分を含めた全体の見栄えが良好な画像を形成可能な画像形成装置を提供することにある。
【課題を解決するための手段】
【００１４】
本発明の画像形成装置は、記録媒体の表面に光沢を付加する光沢付加手段と、記録媒体を折り畳む折り畳み手段と、を有する画像形成装置であって、前記光沢付加手段は、前記折り畳み手段によって形成される記録媒体上の折り目の近傍を避けて光沢を付加することを特徴とする。
【発明の効果】
【００１５】
本発明によれば、光沢加工及び用紙の折り畳みを行う場合に、折り目によって無駄になる部分に光沢加工を行うことなく、折り目部分を含めた全体の見栄えが良好な画像を形成可能な画像形成装置を提供することができる。
【図面の簡単な説明】
【００１６】
【図１】本発明の画像形成装置の実施形態１のブロック図である。
【図２】本発明の画像形成装置の実施形態１の全体の構成を示す側面図である。
【図３】本発明の画像形成装置の実施形態１の画像形成ユニットの構成を示す側面図である。
【図４】本発明の画像形成装置の光沢加工の例を示す図である。
【図５】本発明の画像形成装置の実施形態２のブロック図である。
【図６】本発明の画像形成装置の実施形態２で表示されるダイアログの例を示す図である。
【図７】本発明の画像形成装置の実施形態３のブロック図である。
【図８】本発明の画像形成装置の実施形態３で表示されるダイアログの例を示す図である。
【図９】本発明の画像形成装置の実施形態３のフローチャート図である。
【図１０】本発明の画像形成装置の実施形態１から３の折り畳み方法の例を示す図である。
【図１１】本発明の画像形成装置の実施形態１から３の光沢加工の例を示す図である。
【図１２】本発明の画像形成装置の実施形態１から３の折り畳み方法の例を示す図である。
【図１３】本発明の画像形成装置の実施形態１から３の光沢加工の例を示す図である。
【図１４】本発明の画像形成装置の実施形態１から３の折り畳み方法の例を示す図である。
【図１５】本発明の画像形成装置の実施形態１から３の折り畳み方法の例を示す図である。
【図１６】本発明の画像形成装置の実施形態１から３の光沢加工の例を示す図である。
【発明を実施するための形態】
【００１７】
＜実施形態１の構成＞
図１、図２及び図３を参照しながら、実施形態１の構成について説明する。図１は画像形成装置１の構成をブロック図で示している。図１に示すように、画像形成装置１は、用紙搬送手段２、有色画像形成手段３、光沢付加手段４、折り畳み手段５、折り畳み条件設定手段６、光沢条件設定手段７、折り目計算手段８を有する。実線の矢印はデータの流れを示しており、破線の矢印は記録媒体としての用紙の流れを示している。
【００１８】
図２は画像形成装置１の構成を示す側面図である。図２に示すように、用紙搬送手段２には、用紙を複数枚重ねた紙束の状態で収容している用紙カセット２００、用紙カセット２００内の最も上の用紙に当接している給紙ローラ２０１、レジストローラ対２０２、定着装置２０３が含まれる。
【００１９】
有色画像形成手段３は、イエロー、マゼンダ、シアン、ブラック各色のトナーを中間転写ベルト３１０に転写する画像形成ユニット３００Ｙ、３００Ｍ、３００Ｃ、３００Ｋを有する。透明トナーを転写する画像形成ユニット４００ＣＬは、光沢付加手段４として機能する。これらの画像形成ユニットは、共通の保持体に保持されており、画像形成装置１に対して一体的に脱着可能であり、同時に交換できる。実施形態１では、中間転写媒体としてベルトを使用しているが、ドラム形状の転写媒体を使用するようにしても良い。
【００２０】
また、画像形成ユニット周辺の構成として、各色の潜像を形成する露光装置３５０、中間転写ベルト３１０に形成された画像を用紙に転写する二次転写ローラ対３１１が設けられている。実施形態１においては、５色の画像形成ユニットを有する構成としているが、色数を５色に限定するものでなく、例えば６色以上であっても良い。
【００２１】
図３は画像形成ユニット３００Ｙを拡大した図である。図３に示すように、画像形成ユニット３００Ｙの中間転写ベルト３１０の上側には帯電装置３０１Ｙ、現像装置３０２Ｙ、ドラムクリーニング装置３０３Ｙ、ドラム基体の表面上に有機感光層が形成された感光体３０４Ｙ、図示しない除電装置等が設けられている。また、中間転写ベルト３１０の下側には一時転写ローラ３０５Ｙが設けられている。この構成は、各色の画像形成ユニット４００ＣＬ、３００Ｍ、３００Ｃ、３００Ｋにおいても同じである。また、画像形成ユニットは中間転写ベルト３１０に対して離間可能であり、使用しない色の画像形成ユニットは離間させておくことが可能である。
【００２２】
図２に示すように、定着装置２０３の用紙が搬送される先には、折り畳み手段５としての折り畳み装置５００が設けられている。
【００２３】
＜実施形態１の動作＞
画像形成装置１の実施形態１の全体的な動作について説明する。図３に示す感光体３０４Ｙは、図示しない駆動手段によって回転駆動される。帯電装置３０１Ｙは、帯電バイアスが印加される帯電装置３０１Ｙを感光体３０４Ｙに接触あるいは近接させながら、帯電装置３０１Ｙと感光体３０４Ｙとの間に放電を発生させることで、感光体３０４Ｙの表面を一様帯電せしめる。
【００２４】
露光装置３５０は、画像情報に基づいてレーザーダイオードから発したレーザ光により、一様帯電せしめられた感光体３０４Ｙを光走査する。この光走査により、感光体３０４Ｙ上に静電潜像が形成される。
【００２５】
このように感光体３０４Ｙの表面に形成された静電潜像に、現像装置３０２Ｙにより帯電したトナーを付着させることでトナー像を現像する。このようにして感光体３０４Ｙにトナー像が現像され、次に中間転写ベルト３１０上に順次転写される。
【００２６】
トナー像を中間転写ベルト３１０に転写したあとの感光体３０４Ｙの表面に残存する転写残トナーは、感光体用のドラムクリーニング装置３０３Ｙにより除去され、感光体表面が清掃される。次いでその感光体３０４Ｙ表面は図示しない除電装置、例えば除電ランプによってその表面電位が初期化される。
【００２７】
各色の画像形成ユニット４００ＣＬ、３００Ｍ、３００Ｃ、３００Ｋにおいても同様の動作をする。
【００２８】
図２に示す透明トナー用感光体４０４ＣＬの回転に伴って、中間転写ベルト３１０は初めに４０４ＣＬ及び一時転写ローラ４０５ＣＬからなる１次転写ニップに進入する。そして、クリアトナー像は転写電界やニップ圧の作用により中間転写ベルト３１０に１次転写せしめられる。
【００２９】
その後、中間転写ベルト３１０はイエロー、マゼンダ、シアン、ブラック各色用の１次転写ニップを順次通過する。そして、感光体４０４ＣＬ、３０４Ｙ、３０４Ｍ、３０４Ｃ、４０４Ｋ上の各色のトナー像が、中間転写ベルト３１０上に順次重ね合わせて１次転写される。
【００３０】
次に、中間転写ベルト３１０上のトナー像は二次転写ローラ対３１１によって、中間転写ベルト３１０から用紙に転写される。二次転写部では中間転写ベルト３１０のループ内側に配設された二次転写ローラ対３１１の下側のローラと上側のローラの間に中間転写ベルト３１０を挟みこんでニップを形成している。このニップに用紙が進入する。
【００３１】
給紙ローラ２０１を所定のタイミングで回転駆動させることで、用紙カセット２００内の最も上の用紙を給紙路に向けて送り出す。給紙路の末端付近には、レジストローラ対２０２が配設されている。このレジストローラ対２０２は、用紙カセット２００から送り出された用紙をローラ間に挟み込むとすぐに両ローラの回転を停止させる。そして、挟み込んだ用紙を、二次転写ニップ内で中間転写ベルト３１０上のトナー像に同期させ得るタイミングで回転駆動を再開して、用紙を二次転写ニップに向けて送り出す。
【００３２】
二次転写ニップで用紙に密着せしめられた中間転写ベルト３１０上の透明を含む５色重ね合わせトナー像は、二次転写電界やニップ圧の作用によって用紙上に一括二次転写される。用紙上のトナー画像は定着装置２０３により、加熱定着される。
【００３３】
トナー画像を定着した用紙は折り畳み装置５００に搬送され、折りモードが設定されていない時はそのまま排出され、折りモードが設定されている時は指定された折り畳みを施した後に排出される。
【００３４】
図１に示す、画像形成装置１の実施形態１の光沢付加手段４及び折り畳み手段５に関係する部分の動作について説明する。図１に示す折り畳み条件設定手段６は、出力する用紙を折り畳む条件を設定する。条件として、用紙の大きさと、２つ折り、Ｚ折り等の折り畳む方法を指定する。ただし、用紙の大きさの指定は、他の出力条件から自動で決定してもよい。折り畳む方法の指定は、２つ折りやＺ折りのようにあらかじめ決められた折り方でもよいし、ユーザが任意の位置と方向を指定するような方法でもよい。
【００３５】
光沢条件設定手段７は、出力する画像のどの位置に透明トナーを付加するかを設定する。設定する方法は、用紙上に形成される画像の種別に応じて自動的に透明トナーを付加するように指示する方法でもよいし、透明トナーの付加量を画像上の場所ごとに細かく指定する方法でもよい。
【００３６】
折り目計算手段８は、折り畳み条件設定手段６で設定した条件から、記録媒体上のどの位置に折り目が発生するかを計算する。
【００３７】
光沢付加手段４は、折り目計算手段８で計算した折り目位置の近傍を除いた場所に、光沢条件設定手段７で設定した通りに透明トナーを付加する。これにより、後述する折り畳み手段５によって設定通りに折り畳まれた場合に、折り目の近傍となる位置には透明トナーが付加されないことになる。
【００３８】
折り畳み手段５は、折り畳み条件設定手段６で設定した条件通りに用紙を折り畳む。
【００３９】
＜実施形態１の作用・効果＞
【００４０】
図４の（ａ）は、実施形態１を適用しない場合の光沢加工を行った用紙の例である。斜線部は透明トナーを付加して光沢加工を行った部分を示している。折り目５１では谷折りを行う。図４の（ａ）の例では、折り目５１近傍もその他の部分と同じように光沢加工がされている。このため、折り畳んだ時に、折り目５１近辺に皺やトナーのひび割れが発生してしまい、狙い通りの光沢を得ることができず、見栄えが悪くなり、透明トナーも無駄になってしまう。
【００４１】
図４の（ｂ）は、実施形態１を適用した場合の光沢加工を行った用紙の例である。図４の（ｂ）に示すように、５１ａ及び５１ｂに示す折り目５１から一定の距離の範囲は斜線となっておらず、光沢加工が行われない。そのため、トナーのひび割れを低減することができるうえ、透明トナーを無駄に使用することがない。
【００４２】
＜実施形態２の構成＞
実施形態２では、図５に示すように、実施形態１の構成に加えて折り目近傍距離設定手段９が設けられている。折り目近傍距離設定手段９では、図４の（ｂ）の５１ａ及び５１ｂに示す、折り目計算手段８で計算された折り目５１の位置からどれだけ離れた位置までを折り目近傍と判断し、光沢加工を行わないかを設定することができる。
【００４３】
＜実施形態２の動作＞
折り目近傍距離設定手段９では、例えば、画像形成装置１の図示しない操作表示部に設けられたモニタに、図６に示すようなダイアログボックスを表示させてユーザが直接入力するようにしてもよい。また、用紙の種類や折り畳み条件等から最適な距離を自動的に計算して設定するようにしても良い。
【００４４】
＜実施形態２の作用・効果＞
用紙の性質等によって、用紙の皺及びトナーのひび割れの仕方は異なる。実施形態２では折り目近傍距離設定手段９を設けることによって、用紙の性質に合わせた光沢加工を行うことが可能となり、よりユーザの要求にあった画像を出力することができる。
【００４５】
＜実施形態３の構成＞
実施形態３では、図７に示すように、実施形態２の構成に加えて折り目光沢重複通知手段１０が設けられている。
【００４６】
＜実施形態３の動作＞
折り目光沢重複通知手段１０は、折り目計算手段８で計算した折り目の位置と、光沢条件設定手段７で設定した光沢加工を行う位置が重なっている場合、折り目近傍は光沢加工が行われないことをユーザに通知する。通知する方法は、図８に示すようなダイアログボックスを画像形成装置１の図示しない操作表示部に表示しても良いし、画像形成装置１に接続された端末にプリンタドライバを介して表示しても良い。ユーザは、図８のダイアログボックスでキャンセルを選択することによって設定の変更を行うことができる。
【００４７】
実施形態３の動作の１つの例を図９のフローチャートに示す。まず、ユーザが折り畳み条件設定手段６によって折り畳み条件を設定し（ステップＳ１）、その後光沢条件設定手段７によって光沢条件を設定する（ステップＳ２）。ステップＳ１及びステップＳ２は、どちらを先に行っても良い。次に、設定した折り畳み条件から、折り目計算手段８は折り目の位置を計算する（ステップＳ３）。ここで、ステップＳ２で設定した光沢の位置と、ステップＳ３で算出した折り目の位置が重なっているかどうかの判定を行う（ステップＳ４）。
【００４８】
ステップＳ４で折り目の位置と光沢加工を行う位置が重なっていると判定された場合（ステップＳ４、Ｙｅｓ）、折り目光沢重複通知手段１０によって折り目と光沢の位置が重複している旨をユーザに通知する（ステップＳ５）。その後、ユーザによって条件を変更するかどうかを判定し（ステップＳ６）、変更する場合は再びステップＳ１へ進み、設定の変更を行う（ステップＳ６、Ｙｅｓ）。変更しない場合（ステップＳ６、Ｎｏ）は、折り目近傍を除く位置に光沢を付加して（ステップＳ７）、折り畳みを行う（ステップＳ９）。
【００４９】
ステップＳ４で折り目の位置と光沢加工を行う位置が重なっていないと判定された場合（ステップＳ４、Ｎｏ）、光沢の付加を行い（ステップＳ８）、折り畳みを行う（ステップＳ９）。
【００５０】
＜実施形態３の作用・効果＞
実施形態３では、折り目近傍に光沢加工がされないことが事前にユーザに通知され，ユーザが出力するかどうかを判断することができるため、無駄な出力を行わないようにすることができる。
【００５１】
また、実施形態１から３では、以下に示すような種々の折り畳み条件に対応した光沢の付加が可能である。
【００５２】
＜折り畳み条件１＞
本発明の実施形態では、図１０に示すように、山折りと谷折りが行われる場合に、山折りの折り目と谷折りの折り目で折り目近傍とする距離を異なった値に設定することが可能となる。この設定は、例えば光沢条件設定手段７によって行われる。
【００５３】
図１１で、折り目５１は谷折りを行う折り目、折り目５２は山折りを行う折り目を示している。この時、５１ａ及び５１ｂが示す距離と、５２ａ及び５２ｂが示す距離には異なる値が設定されている。
【００５４】
山折りであるか谷折りであるかによって、用紙の皺及びトナーのひび割れの仕方は異なる。折り方に合わせた光沢加工を行うことが可能となり、よりユーザの要求にあった画像を出力することができる。
【００５５】
＜折り畳み条件２＞
本発明の実施形態では、図１２に示すような複数の折り目が交差して交点を形成するような折り畳み方法で折り畳みを行う場合に、折り目近傍とは別に、交点近傍に光沢加工を行わない範囲を設定することが可能となる。この設定は、例えば光沢条件設定手段７によって行われる。
【００５６】
複数の折り目が重なって交点を形成する場合、通常の折り目近傍よりも広い範囲に用紙の皺やトナーのひび割れが発生する。図１３では、複数の折り目が重なって、折り目の交点５３を形成している。例えば、光沢加工を行わない範囲を、交点５３を中心に５３ａに示す範囲のように設定する。
【００５７】
用紙の皺やトナーのひび割れが広い範囲で発生する折り目の交点付近の光沢加工を行わないようにすることで、透明トナーの無駄をより削減できる。
【００５８】
＜折り畳み条件２＞
本発明の実施形態では、図１４に示すように、例えば定型折りのような、重なった用紙をさらに折ることで、用紙の重なりができる場合に、重なった用紙の内側に位置する折り目と外側に位置する折り目で、光沢加工を行わない範囲を異なった設定とすることができる。図１５は図１４のＡに示す部分を拡大して表示した図である。例えば図１５の折り目５４は重なった用紙の内側の折り目、折り目５５は重なった用紙の外側の折り目である。
【００５９】
用紙の重なりの内側に比べ、外側の方がより広い範囲に用紙の皺及びトナーのひび割れが発生する。図１６に示すように、５５ａ及び５５ｂが示す距離には、５４ａ及び５４ｂが示す距離に比べて大きい値が設定されている。
【００６０】
用紙の皺やトナーのひび割れが広い範囲で発生する用紙が重なった部分の光沢加工を行わないようにすることで、透明トナーの無駄をより削減できる。
【００６１】
なお、上記の実施形態は、本発明の好適な実施形態であり、上記実施形態のみに本発明を限定するものではなく、本発明の要旨を逸脱しない範囲において種々の変更を施した形態での実施が可能である。
【００６２】
例えば、光沢付加手段は、上記の実施形態で示した有色トナーと同様の方法で透明トナーを付加する方法に限らず、流動性を有するシリコーン樹脂をスプレーやジェットノズルで用紙表面に吹き付ける方法であっても良い。この場合は、折り目近傍にはシリコーン樹脂の吹き付けを行わないようにする。
【符号の説明】
【００６３】
１    画像形成装置
２    用紙搬送手段
３    有色画像形成手段
４    光沢付加手段
５    折り畳み手段
６    折り畳み条件設定手段
７    光沢条件設定手段
８    折り目計算手段
９    折り目近傍距離設定手段
１０    折り目光沢重複通知手段
【先行技術文献】
【特許文献】
【００６４】
【特許文献１】特開２００６−２０９４２７号公報
【特許文献２】特開２００８−３１０１２３号公報
【特許文献３】特開２００７−３２２８１９号公報
【特許文献４】特開２００６−７９１７８号公報
【図１】
2015108660.tif 000003
【図２】
2015108660.tif 000004
【図３】
2015108660.tif 000005
【図４】
2015108660.tif 000006
【図５】
2015108660.tif 000007
【図６】
2015108660.tif 000008
【図７】
2015108660.tif 000009
【図８】
2015108660.tif 000010
【図９】
2015108660.tif 000011
【図１０】
2015108660.tif 000012
【図１１】
2015108660.tif 000013
【図１２】
2015108660.tif 000014
【図１３】
2015108660.tif 000015
【図１４】
2015108660.tif 000016
【図１５】
2015108660.tif 000017
【図１６】
2015108660.tif 000018